(57)【特許請求の範囲】
【請求項１】
点字等の情報表示部を有する中空状の手摺構成体と、中空状の手摺本体と、上記手摺構成体と手摺本体とを接続する連結ジョイントと、を具備する情報表示部を有する手摺において、
上記連結ジョイントは、端部がそれぞれ上記手摺構成体と手摺本体内に挿入される略半円柱状に分割される第１及び第２のジョイント材と、上記第１のジョイント材の中心部の両側に設けられた貫通ねじ孔に螺挿され、先端が上記第２のジョイント材の内側面を押圧して第１及び第２のジョイント材を拡開する係止ねじと、上記第１のジョイント材の下面に止着され、上記係止ねじの頭部を目隠しする化粧部材と、を具備し、
上記化粧部材は、上記第１のジョイント材の中心部に設けられた取付ねじ孔に螺合する取付ねじを遊貫する透孔を有する取付基部と、この取付基部の対向する両端から外方に向かって上記貫通ねじ孔間よりも長く延在される目隠し部とからなる板状に形成され、
上記手摺構成体の両端部に、上記化粧部材と略同形であって、上記貫通ねじ孔及び取付ねじ孔よりもやや幅広の切欠部が形成され、
上記係止ねじを締め付けて上記第１及び第２のジョイント材を拡開すると共に、第１及び第２のジョイント材を上記手摺構成体及び手摺本体の内面側に押圧して、手摺構成体と手摺本体とを固定し、その後、上記化粧部材を上記取付ねじに対して回動させて上記切欠部内に挿入し、取付ねじを締め付けて固定してなる、ことを特徴とする情報表示部を有する手摺。
【請求項２】
請求項１記載の情報表示部を有する手摺において、
上記第２のジョイント材の内側面に、上記係止ねじの先端が係合可能な凹部を形成してなることを特徴とする情報表示部を有する手摺。
【請求項３】
請求項１又は２記載の情報表示部を有する手摺において、
上記第１のジョイント材と上記第２のジョイント材の対向する面に、互いに係合可能な係止凸部及び係止凹部を形成してなることを特徴とする情報表示部を有する手摺。
【発明の詳細な説明】
【技術分野】
【０００１】
この発明は、例えば点字等の情報表示部を有する手摺に関するものである。
【背景技術】
【０００２】
従来から、例えば駅等の公共施設においては、階段手摺等に点字等の情報表示部を設けて、視覚障害者に対する情報の提供を行っている。
【０００３】
しかし、従来のものは、手摺を摺って歩く動作に支障のないように薄肉の金属板やシール等に点字を刻印した情報表示プレートを手摺の表面にリベット等で取り付けるため、使用するうちに剥がれた状態や、金属板の端部が跳ね上がった状態となって、利用者が負傷する危険性の虞がある。また、長期間使用するうちに点字部が摩耗して、刻印された点字情報が十分に伝達されないという問題がある。そのため、損傷等を受けた古い情報表示プレートを新規の情報表示プレートと交換する必要がある。
【０００４】
また、表面に点字が形成された蓋体を被着した案内構成部を、ジョイント部材を介して手摺本体に組み込むか、あるいは、上記案内構成部の両端において手摺本体を内挿する状態で組み込む構造の案内用手摺が知られている（例えば、特許文献１参照）。
【０００５】
また、表面に点字等の情報表示部を有する管状体を、この管状体の両端に挿入される差込管を介して手摺に接続する手摺構造が知られている（例えば、特許文献２参照）。
【特許文献１】特許第３６２１９０３号公報（特許請求の範囲、図１，図３，図８，図９）
【特許文献２】特開平１０―１８３９２６号公報（段落番号０００９、図１参照）
【発明の開示】
【発明が解決しようとする課題】
【０００６】
しかしながら、従来の金属板やシール等に点字を刻印した情報表示プレートを手摺の表面に取り付けるものにおいては、リベット等を切断して古い情報表示プレートを取り外した後に、新規の情報表示プレートを取り付けるため、交換作業に手間を要する。しかも、交換後においても、上述したように、情報表示プレートの剥がれや跳ね上がり等の問題は解消されないという問題がある。
【０００７】
これに対して、特許文献１に記載の技術は、情報表示プレート自体を交換する必要はないが、案内構成部と手摺本体とのジョイント部に段差が生じ、また、案内構成部の開口部に、表面に点字が形成された蓋体（情報表示プレート）を被着するため、案内構成部と情報表示プレートとの間に段差が生じる。したがって、視覚障害者に対して安全性が十分でない。
【０００８】
また、特許文献１に記載の技術においては、情報表示プレートを被着した案内構成部を、ジョイント部材を介して手摺本体に組み込むか、あるいは、上記案内構成部の両端において手摺本体を内挿する状態で組み込んで手摺を構成するため、手摺本体と案内構成部との心出し等の位置合せに手間を要するばかりか、手摺本体と案内構成部の接合部に隙間が生じ、強固な固定が難しいという問題がある。
【０００９】
一方、特許文献２に記載の技術は、管状体と手摺の内部に挿入された差込管によって、管状体と手摺とを接続することができるが、管状体と手摺の内径が異なる場合には、挿入管を手摺の端部に挿入できず、管状体と手摺を接続することができないという問題がある。
【００１０】
この発明は、上記事情に鑑みなされたもので、段差のない状態で、点字等の情報表示部を有する手摺構成体を手摺本体に接続することができると共に、手摺構成体と手摺本体の内径が異なる場合でも、確実かつ容易に接続することができる情報表示部を有する手摺を提供することを目的とするものである。
【課題を解決するための手段】
【００１１】
上記目的を達成するために、請求項１記載の発明は、点字等の情報表示部を有する中空状の手摺構成体と、中空状の手摺本体と、上記手摺構成体と手摺本体とを接続する連結ジョイントと、を具備する情報表示部を有する手摺において、  上記連結ジョイントは、端部がそれぞれ上記手摺構成体と手摺本体内に挿入される略半円柱状に分割される第１及び第２のジョイント材と、上記第１のジョイント材の中心部の両側に設けられた貫通ねじ孔に螺挿され、先端面が上記第２のジョイント材の内側面を押圧して第１及び第２のジョイント材を拡開する係止ねじと、上記第１のジョイント材の下面に止着され、上記係止ねじの頭部を目隠しする化粧部材と、を具備し、  上記化粧部材は、上記第１のジョイント材の中心部に設けられた取付ねじ孔に螺合する取付ねじを遊貫する透孔を有する取付基部と、この取付基部の対向する両端から外方に向かって上記貫通ねじ孔間よりも長く延在される目隠し部とからなる板状に形成され、  上記手摺構成体の両端部に、上記化粧部材と略同形であって、上記貫通ねじ孔及び取付ねじ孔よりもやや幅広の切欠部が形成され、  上記係止ねじを締め付けて上記第１及び第２のジョイント材を拡開すると共に、第１及び第２のジョイント材を上記手摺構成体及び手摺本体の内面側に押圧して、手摺構成体と手摺本体とを固定し、その後、上記化粧部材を上記取付ねじに対して回動させて上記切欠部内に挿入し、取付ねじを締め付けて固定してなる、ことを特徴とする。
【００１２】
このように構成することにより、係止ねじを締め付けて第１及び第２のジョイント材を拡開すると共に、第１及び第２のジョイント材を手摺構成体及び手摺本体の内面側に押圧して、手摺構成体と手摺本体とを固定することができる。また、手摺構成体と手摺本体とを固定した後に、化粧部材を取付ねじに対して回動させて切欠部内に挿入し、取付ねじを締め付けて固定することで、係止ねじの頭部を目隠しすることができる。
【００１３】
請求項１記載の発明において、上記第２のジョイント材の内側面に、上記係止ねじの先端が係合可能な凹部を形成する方が好ましい（請求項２）。また、上記第１のジョイント材と上記第２のジョイント材の対向する面に、互いに係合可能な係止凸部及び係止凹部を形成してなる方が好ましい（請求項３）。
【００１４】
このように構成することにより、第１のジョイント材の貫通ねじ孔に螺挿された係止ねじの先端が第２のジョイント材の凹部と係合することで、連結ジョイントの固定位置から第２のジョイント材がずれるのを防止することができる。
【００１５】
また、係止凸部及び係止凹部とを係合可能に形成することで、係止ねじを貫通ねじ孔に螺挿する前の状態において、第１のジョイント材と第２のジョイント材とのずれを防ぐことができる。
【発明の効果】
【００１６】
以上に詳述したように、この発明の手摺によれば、上記のように構成されているので、以下の効果が得られる。
【００１７】
（１）請求項１記載の発明によれば、係止ねじを締め付けて第１及び第２のジョイント材を拡開すると共に、第１及び第２のジョイント材を手摺構成体及び手摺本体の内面側に押圧して、手摺構成体と手摺本体とを固定することができるので、段差のない状態で、点字等の情報表示部を有する手摺構成体を手摺本体に接続することができると共に、手摺構成体と手摺本体の内径が異なる場合でも、確実かつ容易に接続することができる。また、手摺構成体と手摺本体とを固定した後に、化粧部材を切欠部内に挿入して係止ねじの頭部を目隠しすることができるので、手摺の美観を損なうことなく手摺構成体と手摺本体とを接続することができる。
【００１８】
（２）請求項２，３記載の発明によれば、第１のジョイント材の貫通ねじ孔に螺挿された係止ねじの先端が第２のジョイント材の凹部と係合することで、連結ジョイントの固定位置から第２のジョイント材がずれるのを防止することができ、また、第１のジョイント材と第２のジョイント材の対向する面に、互いに係合可能な係止凸部及び係止凹部を形成することで、係止ねじを貫通ねじ孔に螺挿する前の状態において、第１のジョイント材と第２のジョイント材とのずれを防ぐことができるので、上記（１）に加えて更に、手摺構成体と手摺本体との接続作業を容易に行うことができる。
【発明を実施するための最良の形態】
【００１９】
以下に、この発明の最良の実施形態について、添付図面に基づいて詳細に説明する。
【００２０】
図１は、この発明に係る手摺の取付状態を示す全体斜視図、図２は、この発明における手摺構成体と手摺本体とを接続した状態を示す拡大斜視図、図３は、図２の下方拡大斜視図、図４は、この発明における手摺構成体と手摺本体との別の接続状態を示す拡大断面図（ａ）及び（ｂ）である。
【００２１】
この発明に係る手摺Ｈは、例えば駅等の公共施設の階段や通路等に設置される手摺本体１の一部に、連結ジョイント４を介して、点字等の情報表示部３を有する手摺構成体２を組み込んで、視覚障害者に対する情報の提供を行えるようにした手摺Ｈである。なお、本実施形態において、情報表示部３に点字を表した場合について説明する。
【００２２】
この場合、手摺本体１は、例えばステンレス製のパイプにて形成されており、ブラケット６によって壁面７に固定されている。
【００２３】
上記手摺構成体２は、図３、図４（ａ）及び図５に示すように、外径が上記手摺本体１の外径と同一寸法の例えばステンレス製のパイプにて形成されており、略中央部の上方側には点字を表した情報表示部３が設けられ、両端開口部２１の下方側には、後述する化粧部材５を取り付ける切欠部２２が設けられている。
【００２４】
上記情報表示部３は、図１、図２及び図６に示すように、点字を表した表示板３１と、この表示板３１の内面側に当接し、例えばスポット溶接にて溶接して形成される取付板３２とを有する表示体３０と、手摺構成体２の上方の略中央部に設けられ、表示板３１を嵌め込む表示部用窓２４とで構成されている。この場合、取付板３２は表示板３１の面積より大きく形成されており、表示体３０を手摺構成体２の内面側から挿入し、表示板３１を表示部用窓２４に嵌合した状態で、取付板３２と手摺構成体２とを、例えばスポット溶接にて溶接することで、手摺構成体２に情報表示部３を段差なく固定することができる。
【００２５】
一方、上記切欠部２２は、後述する化粧部材５と略同形であって、後述する貫通ねじ孔４２及び取付ねじ孔４３よりもやや幅広に形成されており、略中央には、後述する化粧部材５の取付基部５１と略同形の拡径部２３が形成されている。
【００２６】
上記連結ジョイント４は、図２ないし図５に示すように、端部がそれぞれ手摺構成体２と手摺本体１内に挿入される略半円柱状に分割される第１のジョイント材４１及び第２のジョイント材４５と、第１のジョイント材４１の中心部の両側に設けられた貫通ねじ孔４２に螺挿され、先端４０ａが第２のジョイント材４５の内側面４６を押圧して第１及び第２のジョイント材４１，４５を拡開する係止ねじ４０とで主に構成されている。
【００２７】
上記第１のジョイント材４１の中心部には、後述する化粧部材５を取り付ける取付ねじ５０を螺合する取付ねじ孔４３が設けられている。
【００２８】
また、第２のジョイント材４５の内側面４６には、係止ねじ４０の先端４０ａが係合可能な凹部４７が形成されている。
【００２９】
また、第１のジョイント材４１と第２のジョイント材４５の対向する面には、互いに係合可能な係止凸部４４及び係止凹部４８が形成されている。なお、本実施形態においては、図５に示すように、第１のジョイント材４１に係止凸部４４が設けられ、第２のジョイント材４５に係止凹部４８が設けられている。これら係止凸部４４と係止凹部４８を逆にしてもよい。すなわち、第１のジョイント材４１に係止凹部４８を設け、第２のジョイント材４５に係止凸部４４を設けてもよい。
【００３０】
なお、上記係止ねじ４０は、図５に示すように、例えば六角穴付きボルトにて形成されている。
【００３１】
このように連結ジョイント４を形成することにより、係止ねじ４０を締め付けて第１及び第２のジョイント材４１，４５を拡開すると共に、第１及び第２のジョイント材４１，４５を手摺構成体２及び手摺本体１の内面側に押圧することで、第１及び第２のジョイント材４１，４５を手摺構成体２及び手摺本体１内に固定することができ、手摺構成体２と手摺本体１とを内面側で接合することができる。これにより、段差のない状態で、情報表示部３を有する手摺構成体２を手摺本体１に接続することができる。
【００３２】
また、図４（ｂ）に示すように、手摺構成体２Ａと手摺本体１の内径が異なる場合、例えば手摺構成体２Ａの内径が手摺本体１の内径より大きい場合においても、係止ねじ４０を締め付けて、第１のジョイント材４１と第２のジョイント材４５を拡開することで、確実に第１及び第２のジョイント材４１，４５を手摺構成体２Ａ及び手摺本体１の内面側に押圧することができ、手摺構成体２Ａと手摺本体１とを接続することができる。
【００３３】
また、第１のジョイント材４１の貫通ねじ孔４２に螺挿された係止ねじ４０の先端４０ａが第２のジョイント材４５の凹部４７と係合することで、連結ジョイント４の固定位置から第２のジョイント材４５がずれるのを防止することがでる。また、第１のジョイント材４１と第２のジョイント材４５の対向する面に、互いに係合可能な係止凸部４４及び係止凹部４８を形成することで、係止ねじ４０を貫通ねじ孔４２に螺挿する前の状態において、第１のジョイント材４１と第２のジョイント材４５とのずれを防ぐことができるので、手摺構成体２，２Ａと手摺本体１との接続作業を容易に行うことができる。
【００３４】
上記化粧部材５は、図５に示すように、第１のジョイント材４１の取付ねじ孔４３に螺合する取付ねじ５０を遊貫する透孔５２を有する取付基部５１と、この取付基部５１の対向する両端から外方に向かって延在し、第１のジョイント材４１の貫通ねじ孔４２間よりも長く形成される目隠し部５３とで、手摺構成体２の切欠部２２と略同形の板状に形成されている。なお、一方の目隠し部５３の先端には凸円弧状部５４が形成され、切欠部２２の手摺構成体２の内方側の端部に、上記凸円弧状部５４と嵌合する凹円弧状部２５が形成されている。
【００３５】
なお、上記取付ねじ５０は、頭部５０ａに例えば星形等の特殊形状の締め付け溝５０ｂを有して形成されている。
【００３６】
このように化粧部材５を形成することにより、手摺構成体２,２Ａと手摺本体１とを連結ジョイント４で接続した後、化粧部材５を切欠部２２内に取付ねじ５０によって取り付けることで、目隠し部５３によって係止ねじ４０の頭部４０ｂを目隠しすることができるので、手摺Ｈの美観を損なうことなく手摺構成体２，２Ａと手摺本体１とを接続することができる。また、取付ねじ５０の頭部５０ａに特殊形状の締め付け溝５０ｂを設けることにより、対応する特殊工具以外での取付ねじ５０の取り外しができないので、いたずら及び手摺構成体２，２Ａの盗難を防止することができる。
【００３７】
次に、手摺本体１と手摺構成体２との接続手順に図７を参照して説明する。なお、上記手摺構成体２は、予め工場等において点字を表した表示体３０を溶接して情報表示部３を形成しておく。
【００３８】
まず、第１のジョイント材４１及び第２のジョイント材４５の係止凸部４４と係止凹部４８とを係合させると共に、両貫通ねじ孔４２に係止ねじ４０を螺合させ、係止ねじ４０の先端４０ａを第２のジョイント材４５に設けられた凹部４７に係合させておく。また、第１のジョイント材４１の取付ねじ孔４３に取付ねじ５０を介して化粧部材５を遊貫しておく（図７（ａ）参照）。
【００３９】
次に、手摺構成体２の開口部２１から手摺構成体２内に上記連結ジョイント４を挿入する（図７（ａ）参照）。この場合、連結ジョイント４は、係止ねじ４０が取り付けられていない方の端部を手摺構成体２の開口部２１に挿入する。この際、取付ねじ５０を手摺構成体２の切欠部２２内に挿入することで、連結ジョイント４の周方向の位置決めすることができると共に、連結ジョイント４を手摺構成体２に対して長さ方向にスライドさせることができる。
【００４０】
次に、手摺構成体２を、連結ジョイント４の端部が手摺構成体２の開口部２１から突出しない状態で、手摺構成体２の長さと略同一幅の間隔をあけて分割された手摺本体１の間に配置し、手摺構成体２の両端開口部２１と手摺本体１の開口部とを突き合わせる（図７（ｂ）参照）。この状態で、手摺構成体２内に挿入された連結ジョイント４を、化粧部材５を摘んで切欠部２２内を手摺本体１側へスライドさせて、連結ジョイント４の端部が手摺本体１の内面と係合する位置に移動する。この際、取付ねじ５０を切欠部２２に形成された拡径部２３の略中央に移動させることで、連結ジョイント４の長さ方向の位置決めを行うことができる。
【００４１】
次に、両係止ねじ４０をレンチ等の工具Ｌで締め付け、両係止ねじ４０の先端４０ａで第２のジョイント材４５の内面を押圧して、第１のジョイント材４１と第２のジョイント材４５とを拡開し、第１及び第２のジョイント材４１，４５を手摺構成体２及び手摺本体１内に固定する（図７（ｃ）参照）。
【００４２】
そして、化粧部材５を取付ねじ５０に対して回動させて、凸円弧状部５４を有する目隠し部５３を切欠部２２の凹円弧状部２５に嵌合するように切欠部２２に挿入すると共に、取付ねじ５０を締め付けて固定して、手摺構成体２の手摺本体１への取付作業を終了する（図７（ｄ）参照）。
【００４３】
上記のように構成される手摺Ｈによれば、係止ねじ４０を締め付けて第１及び第２のジョイント材４１，４５を拡開すると共に、第１及び第２のジョイント材４１，４５を手摺構成体２及び手摺本体１の内面側に押圧して、手摺構成体２と手摺本体１とを固定することができる。したがって、段差のない状態で、点字等の情報表示部３を有する手摺構成体２を手摺本体１に接続することができると共に、手摺構成体２と手摺本体１の内径が異なる場合でも、確実かつ容易に接続することができる。
【００４４】
また、手摺構成体２と手摺本体１とを固定した後に、化粧部材５を切欠部２２内に挿入して係止ねじ４０の頭部４０ｂを目隠しすることができるので、手摺Ｈの美観を損なうことなく手摺構成体２と手摺本体１とを接続することができる。
【００４５】
また、第１のジョイント材４１の貫通ねじ孔４２に螺挿された係止ねじ４０の先端４０ａが第２のジョイント材４５の凹部４７と係合することで、連結ジョイント４の固定位置から第２のジョイント材４５がずれるのを防止することができる。また、第１のジョイント材４１と第２のジョイント材４５の対向する面に、互いに係合可能な係止凸部４４及び係止凹部４８を形成することで、係止ねじ４０を貫通ねじ孔４２に螺挿する前の状態において、第１のジョイント材４１と第２のジョイント材４５とのずれを防ぐことができるので、手摺構成体２と手摺本体１との接続作業を容易に行うことができる。
【００４６】
なお、本実施形態においては、手摺構成体２に点字を表した表示体３０を溶接して情報表示部３を形成する構造について説明したが、表示体３０を設けずに手摺構成体２に直接点字を打刻してもよい。
【図面の簡単な説明】
【００４７】
【図１】この発明に係る手摺の取付状態を示す全体斜視図である。
【図２】この発明における手摺構成体と手摺本体とを接続した状態を示す拡大斜視図である。
【図３】図２の下方拡大斜視図である。
【図４】この発明における手摺構成体と手摺本体との別の接続状態を示す拡大断面図（ａ）及び（ｂ）である。
【図５】この発明における手摺構成体と手摺本体と連結ジョイントを示す分解斜視図である。
【図６】この発明における手摺構成体の情報表示部を示す分解斜視図（ａ）及び取付状態を示す斜視図（ｂ）である。
【図７】この発明における手摺構成体と手摺本体との接続手順を示す断面図（ａ）〜（ｄ）である。
【符号の説明】
【００４８】
Ｈ  手摺
１  手摺本体
２，２Ａ  手摺構成体
３  情報表示部
４  連結ジョイント
５  化粧部材
２２  切欠部
４０  係止ねじ
４０ａ  先端
４０ｂ  頭部
４１  第１のジョイント材
４２  貫通ねじ孔
４３  取付ねじ孔
４４  係止凸部
４５  第２のジョイント材
４６  内側面
４７  凹部
４８  係止凹部
５０  取付ねじ
５１  取付基部
５２  透孔
５３  目隠し部
【図１】
0005046871.tif 000002
【図２】
0005046871.tif 000003
【図３】
0005046871.tif 000004
【図４】
0005046871.tif 000005
【図５】
0005046871.tif 000006
【図６】
0005046871.tif 000007
【図７】
0005046871.tif 000008